(57)【要約】【課題】本発明は、着脱自在な記録媒体に格納された一つのファイルでなる動画コンテンツに対しても容易にレジューム機能を実現できるようにする。【解決手段】本発明は、一つのファイルでなる動画コンテンツや、その他のコンテンツが格納された着脱自在なディスクＤｉ１を再生し、その再生したディスクＤｉ１のうちＭＰＥＧ４動画ファイルの再生を停止し、当該ディスクＤｉ１が取り外されたとき、ＭＰＥＧ４動画ファイルのファイルサイズ、ファイル名及びアドレスをＲＡＭ８に記憶し、ディスクＤｉ１が再度装填されてＭＰＥＧ４動画ファイルを再生する際、ＲＡＭ８に記憶されたファイルサイズ及びファイル名を照合することにより当該ディスクＤｉ１が取り外されたものと同一であることを検証したとき、ＲＡＭ８に記憶されたアドレスに基づいてＭＰＥＧ４動画ファイルの再生を再開するようにする。【選択図】図４
2010108553.tif 000002
【特許請求の範囲】
【請求項１】
一つのファイルでなる動画コンテンツや、当該動画コンテンツ以外のその他のコンテンツが格納された着脱自在な記録媒体を再生する再生手段と、
上記記録媒体のうち上記動画コンテンツの再生が停止されて当該記録媒体が取り外されたとき、上記記録媒体のファイルサイズ、上記動画コンテンツと上記他のコンテンツとに対応した全ファイル名及び絶対アドレスを記憶手段に記憶する記憶制御手段と、
上記記録媒体が再度装填されて上記動画コンテンツを上記再生手段によって再生する際、上記記憶手段に記憶された上記ファイルサイズ及び上記全ファイル名を照合することにより当該記録媒体が取り外されたものと同一であることを検証する検証手段と、
上記検証手段により上記同一であることを検証したとき、上記記憶手段に記憶された上記絶対アドレスに基づいて上記動画コンテンツの再生処理を再開する制御手段と
を具える再生装置。
【請求項２】
上記制御手段は、上記動画コンテンツに対して予め均等間隔で複数設定された仮再生アドレスのうち、上記絶対アドレスよりも遡り、かつ当該絶対アドレスに最も近い上記仮再生アドレスから上記動画コンテンツの再生処理を再開する
請求項１に記載の再生装置。
【請求項３】
上記制御手段は、上記絶対アドレスよりも所定時間だけ遡った時点から上記動画コンテンツの再生処理を再開する
請求項１に記載の再生装置。
【請求項４】
上記制御手段は、上記絶対アドレスよりも所定時間だけ遡った時点から上記動画コンテンツの再生処理をバッファ上で再開し、その再生結果の音声レベルが所定の閾値を超えた時点から当該再生結果を出力する
請求項３に記載の再生装置。
【請求項５】
上記検証手段は、上記全ファイル名のそれぞれの拡張子に基づいて上記動画コンテンツであるか、又は上記その他のコンテンツであるかを検証する
請求項１に記載の再生装置。
【請求項６】
一つのファイルでなる動画コンテンツや、当該動画コンテンツ以外のその他のコンテンツが格納された着脱自在な記録媒体を再生手段により再生する再生ステップと、
上記記録媒体のうち上記動画コンテンツの再生が停止されて当該記録媒体が取り外されたとき、記憶制御手段により上記記録媒体のファイルサイズ、上記動画コンテンツと上記他のコンテンツとに対応した全ファイル名及び絶対アドレスを記憶手段に対して記憶する記憶ステップと、
上記記録媒体が再度装填されて上記動画コンテンツを上記再生手段によって再生する際、検証手段により、上記記憶手段に記憶された上記ファイルサイズ及び上記全ファイル名を照合することにより当該記録媒体が取り外されたものと同一であることを検証する検証ステップと、
上記検証手段により上記同一であることを検証したとき、制御手段により、上記記憶手段に記憶された上記絶対アドレスに基づいて上記動画コンテンツの再生処理を再開する制御ステップと
を有する再生方法。
【発明の詳細な説明】
【技術分野】
【０００１】
本発明は、再生装置及び再生方法に関し、例えばＭＰＥＧ(Moving Picture Experts Group)４対応カーＤＶＤ(Digital Versatile Disc)プレーヤに適用して好適なものである。
【背景技術】
【０００２】
従来、ＤＶＤプレーヤにおいては、ＤＶＤのディスクを途中まで再生していた状態で一旦イジェクトされた後、再度そのディスクが再び装填された場合、イジェクト直前の場面から引き続き再生を再開させる所謂レジューム機能が搭載されている。
【０００３】
これは、ＤＶＤのディスクであれば、そのフォーマットに従って、当該ディスクを判別するためのディスクＩＤ(IDentification)や、再生時間の管理が可能なタイトルナンバー、トラックナンバー及び再生時間等の各種情報が書き込まれているからである。
【０００４】
すなわちＤＶＤプレーヤでは、ＤＶＤのディスクを途中まで再生していた状態で一旦イジェクトした場合、これらのディスクＩＤ、タイトルナンバー、トラックナンバー及び再生時間等の各種情報を記憶しておく。
【０００５】
そしてＤＶＤプレーヤでは、その後、ＤＶＤのディスクが装填されたとき、ディスクＩＤを照合して、イジェクトしたＤＶＤのディスクと同じものであるか否かを判別し、次に、予め記憶しておいたディスクＩＤ、タイトルナンバー、トラックナンバー及び再生時間に基づいてイジェクト直前の場面から引き続き再生処理を再開させるようになされている
（例えば、特許文献１及び特許文献２参照）。
【特許文献１】特開2006-217126公報
【特許文献２】特開2007-180938公報
【発明の開示】
【発明が解決しようとする課題】
【０００６】
ところで、ＣＤ−Ｒ(Compact Disc-Recordable)、ＤＶＤ−Ｒ(Digital Versatile Disc-Recordable)、ＤＶＤ−ＲＷ(Digital Versatile Disc-ReWritable)等のディスクに書き込まれた「ＤｉｖＸ」や「ＭＰＥＧ４ＡＶＣ(Moving Picture Experts Group 4 Advanced Video Coding)／Ｈ．２６４」等の動画ファイルフォーマットに対応したＭＰＥＧ４動画ファイルについては、ディスクＩＤが存在しないので、ＤＶＤプレーヤがディスクを判別することが出来ない。
【０００７】
またＭＰＥＧ４動画ファイルには、「タイトル」及び「チャプター」という概念がなく、ただ１つのファイルでしかない。更にＭＰＥＧ４動画ファイルには再生時間の情報も書き込まれていない。
【０００８】
このためＭＰＥＧ４対応ＤＶＤプレーヤにおいては、ＭＰＥＧ４動画ファイルの再生を途中で停止して一旦イジェクトされた場合、再度装填されたディスクが同一であるのか、及び一体どこまで再生したかを認識することができず、停止箇所から再生を再開することが出来ないという問題があった。
【０００９】
本発明は以上の点を考慮してなされたもので、着脱自在な記録媒体に格納された一つのファイルでなる動画コンテンツに対しても容易にレジューム機能を実現し得る再生装置及び再生方法を提案しようとするものである。
【課題を解決するための手段】
【００１０】
かかる課題を解決するため本発明においては、一つのファイルでなる動画コンテンツや、当該動画コンテンツ以外のその他のコンテンツが格納された着脱自在な記録媒体を再生し、記録媒体のうち動画コンテンツの再生が停止されて当該記録媒体が取り外されたとき、記録媒体のファイルサイズ、動画コンテンツと他のコンテンツとに対応した全ファイル名及び絶対アドレスを記憶し、記録媒体が再度装填されて動画コンテンツを再生する際、記憶手段に記憶されたファイルサイズ及び全ファイル名を照合することにより当該記録媒体が取り外されたものと同一であることを検証したとき、記憶手段に記憶された絶対アドレスに基づいて動画コンテンツの再生処理を再開するようにする。
【００１１】
これにより、一つのファイルでなる動画コンテンツや、その他のコンテンツが混在している記録媒体のうち当該動画ファイルの再生処理が一旦停止されて取り外された後に、再度装填されて当該動画ファイルを再生処理する際でも、停止した位置から直ちに再生処理を再開することができる。
【発明の効果】
【００１２】
本発明によれば、一つのファイルでなる動画コンテンツや、その他のコンテンツが混在している記録媒体のうち当該動画ファイルの再生処理が一旦停止されて取り外された後に、再度装填されて当該動画ファイルを再生処理する際でも、停止した位置から直ちに再生処理を再開することができ、かくして早送り操作をユーザに強いることなく、着脱自在な記録媒体に格納された一つのファイルでなる動画コンテンツに対しても容易にレジューム機能を実現し得る再生装置及び再生方法を実現することができる。
【発明を実施するための最良の形態】
【００１３】
以下、発明を実施するための最良の形態（以下、実施の形態とする）について説明する。なお、説明は以下の順序で行う。
１．第１の実施の形態
２．第２の実施の形態
３．第３の実施の形態
４．他の実施の形態（変形例）
【００１４】
＜１．第１の実施の形態＞
［１−１．カーＤＶＤプレーヤの構成］
図１において、１は全体として車載機器として用いられる第１の実施の形態におけるカーＤＶＤプレーヤを示し、当該カーＤＶＤプレーヤ１では、本体部２に対してＬＣＤ(Liquid Crystal Display)１１及びスピーカ１２が接続される。
【００１５】
このカーＤＶＤプレーヤ１では、ＣＰＵ(Central Processing Unit)構成でなるシステムコントロールマイコン７がＲＯＭ(Read Only Memory)等に格納された基本プログラムや各種アプリケーションプログラムをＲＡＭ(Random Access Memory)８に立ち上げることにより、全体を統括制御し、また各種機能を実現するようになされている。
【００１６】
なおカーＤＶＤプレーヤ１は、本体部２のフロントパネル（図示せず）に設けられた複数の操作キー１０に対するユーザの押下操作に基づく命令を受け付け、再生結果のタイトル、再生時間等の各種情報を例えばＦＬ(Fluorescent Lamp)管等でなる表示パネル９に表示させるようになされている。
【００１７】
カーＤＶＤプレーヤ１は、例えばＭＰＥＧ４動画ファイルが格納されたＤＶＤのディスクＤｉ１が本体部２に装填されると、レーザピックアップ３によってディスクＤｉ１のデータを読み出し、その再生データＳ１をＭＰＥＧデコーダ４へ送出する。
【００１８】
ＭＰＥＧデコーダ４は、再生データＳ１に対してＭＰＥＧ４に準拠したデコード処理を施すことにより映像信号Ｓ２と音声信号Ｓ３を得、当該映像信号Ｓ２については出力端子Ｔ１を介してＬＣＤ１１へ出力することにより再生映像を表示するようになされている。
【００１９】
またＭＰＥＧデコーダ４は、当該音声信号Ｓ３については電子ボリューム５へ送出する。電子ボリューム５では、音声信号Ｓ３に基づく音量を制御し、その結果得られる音声信号Ｓ４をパワーアンプ６へ送出する。
【００２０】
パワーアンプ６は、音声信号Ｓ４を所定レベルに増幅し、その増幅後の音声信号Ｓ５については出力端子Ｔ２を介してスピーカ１２へ供給することにより再生音声を出力するようになされている。
【００２１】
またカーＤＶＤプレーヤ１は、ディスクＤｉ１が本体部２からイジェクトされ、次のディスクＤｉ２が装填された場合、当該ディスクＤｉ２に対する再生処理を当該ディスクＤｉ１と同様に実行するようになされている。
【００２２】
［１−２．ディレクトリ構成］
次に、本発明における主な再生対象として用いられるディスクＤｉ１のディレクトリ構成を、図２により説明する。
【００２３】
このディスクＤｉ１では、「Ｒｏｏｔ」で示されるルートディレクトリの下位階層に音楽ファイルＡ、ＭＰＥＧ４動画ファイルＢ及び音楽ファイルＣが格納されており、カーＤＶＤプレーヤ１に装填された場合、音楽ファイルＡ、ＭＰＥＧ４動画ファイルＢ及び音楽ファイルＣの順番で再生される。
【００２４】
［１−３．データ構造］
続いて、ディスクＤｉ１に格納されているデータのデータ構造を、図３により説明する。ディスクＤｉ１では、絶対アドレス「０００」番地〜「１００」番地までのリードインエリアＡＲ１に、ＴＯＣ(Table Of Contents)として、当該ディスクＤｉ１を特定するためのディスクＩＤ(IDentification)及びファイルサイズが書き込まれている。
【００２５】
またディスクＤｉ１では、絶対アドレス「１０１」番地〜「２００」番地までのディレクトリレコードエリアＡＲ２に、当該ディスクＤｉ１の目次に相当するディレクトリレコードとして、全ファイル名と、その格納場所である絶対アドレスの範囲とが書き込まれている。
【００２６】
さらにディスクＤｉ１では、実データエリアＡＲ３のうち絶対アドレス「２０１」番地〜「３００」番地までの範囲に音楽ファイルＡの実データが書き込まれ、絶対アドレス「３０１」番地〜「７００」番地までの範囲にＭＰＥＧ４動画ファイルＢの実データが書き込まれ、絶対アドレス「７０１」番地〜「８００」番地までの範囲に音楽ファイルＣの実データが書き込まれている。
【００２７】
なおカーＤＶＤプレーヤ１では、ディスクＤｉ１の例えばＸ地点に相当する絶対アドレス「５００」番地で再生処理を停止してイジェクトし、当該ディスクＤｉ１が再度装填されたとき、当該Ｘ地点に相当する絶対アドレス「５００」番地を再生ポイントとして再生処理を再開するようになされている。
【００２８】
［１−４．基本のレジューム再生処理手順］
次に、カーＤＶＤプレーヤ１のシステムコントロールマイコン７（以下、これを単にマイコン７と呼ぶ。）がディスクＤｉ１の再生停止地点から再生処理を再開する基本のレジューム再生処理手順について、図４のフローチャートを用いて説明する。
【００２９】
カーＤＶＤプレーヤ１のマイコン７は、ルーチンＲＴ１の開始ステップから入って次のステップＳＰ１へ移り、ディスクＤｉ１の再生処理を開始し、次のステップＳＰ２へ移る。
【００３０】
ステップＳＰ２においてマイコン７は、操作キー１０を介したユーザのイジェクト命令に応じてディスクＤｉ１に対する再生処理を停止した後、当該ディスクＤｉ１を本体部２からイジェクトしたか否かを判定する。
【００３１】
ここで否定結果が得られると、このことはイジェクト命令が与えられておらず、ディスクＤｉ１を本体部２からイジェクトしていないことを表しており、このときマイコン７はステップＳＰ１へ戻ってディスクＤｉ１に対する再生処理を継続する。
【００３２】
これに対してステップＳＰ２で肯定結果が得られると、このことはユーザからのイジェクト命令に応じてディスクＤｉ１を本体部２からイジェクトしたことを表しており、このときマイコン７は次のステップＳＰ３へ移る。
【００３３】
ステップＳＰ３においてマイコン７は、ディスクＤｉ１をイジェクトしたときまで再生していたのはＭＰＥＧ４動画ファイルＢであるか否かを、そのファイルの拡張子を参照することにより検証する。
【００３４】
図５に示すように、音楽ファイルＡや音楽ファイルＣであれば、その拡張子として「.wav」、「m4a」、「m2a」、「ac3」等がファイル名に付けられており、ＭＰＥＧ４動画ファイルＢであれば、その拡張子として「.AVI」、「mp4」等がファイル名に付けられている。
【００３５】
このステップＳＰ３で否定結果が得られると、このことはイジェクトしたときまで再生していたのが音楽ファイルＡ又は音楽ファイルＣであって、ＭＰＥＧ４動画ファイルＢではないことを表しており、このときマイコン７はステップＳＰ９へ移って処理を終了する。
【００３６】
因みに、ディスクＤｉ１をイジェクトしたときまで再生していたのが音楽ファイルＡや音楽ファイルＣのときは、再生停止地点から再生処理を再開することはない。
【００３７】
これは、音楽ファイルＡや音楽ファイルＣは通常１曲分の５分間程度に相当するものであり、再生停止地点から再生処理を再開せずに最初から再生処理しても重複再生部分が短くて済むからである。また、音楽ファイルＡ及びＣでは、再生停止地点から再生処理を再開するよりも、むしろ最初から再生処理を実行した方が、ユーザにとって便宜であるからである。
【００３８】
しかしながら、ＭＰＥＧ４動画ファイルＢにおいては例えば２時間程度の映画に相当し、再生停止地点が例えば１時間５０分経過時点であるときは、最初から再生処理を行う場合には重複再生部分が非常に長くなって、ユーザに対して早送り操作を強いることになる。
【００３９】
これに対してステップＳＰ３で肯定結果が得られると、このことはイジェクトしたときまで再生していたのがＭＰＥＧ４動画ファイルＢであって、再生停止地点から再生処理を再開する必要があることを表しており、このときマイコン７は次のステップＳＰ４へ移る。
【００４０】
ステップＳＰ４においてマイコン７は、イジェクト時に再生処理を停止したときのタイミングでリードインエリアＡＲ１のディスクＩＤ、ディレクトリレコードエリアＡＲ２のファイルサイズ、ディレクトリレコード、全ファイル名、全ファイルに対応した全ての絶対アドレスを読み出してＲＡＭ８に記憶し、次のステップＳＰ５へ移る。
【００４１】
因みにＲＡＭ８は、ディスク１０枚分のディスクＩＤ、ファイルサイズ、ディレクトリレコード、全ファイル名、絶対アドレスを記憶できる程度の容量を有している。
【００４２】
ステップＳＰ５においてマイコン７は、本体部２に対して何らかのディスクが新たに装填されたか否かを判定し、否定結果が得られると、ステップＳＰ５に戻って、何らかのディスクが新たに装填されるまで待ち受け、肯定結果が得られると、次のステップＳＰ６へ移る。
【００４３】
ステップＳＰ６においてマイコン７は、ステップＳＰ４でＲＡＭ８に記憶しておいたディスクＩＤ、ファイルサイズ、ディレクトリレコード及び全ファイル名に基づいて、新たに装填されたディスクを照合し、次のステップＳＰ７へ移る。
【００４４】
このときマイコン７は、ＲＡＭ８に記憶しておいたディスクＩＤ、ファイルサイズ、ディレクトリレコード及び全ファイル名が、ステップＳＰ２でイジェクトしたディスクＤｉ１のそれと一致するか否かを照合することになる。
【００４５】
ステップＳＰ７においてマイコン７は、その結果として、新たに装填されたディスクが、ステップＳＰ２でイジェクトしたディスクＤｉ１と同一であるか否かを判別する。
【００４６】
ここで否定結果が得られると、このことは新たに装填されたのがディスクＤｉ２（図１）であって、イジェクトしたディスクＤｉ１とは異なることを表しており、このときマイコン７はステップＳＰ１へ戻って当該ディスクＤｉ２に対する再生処理を開始し、以降の処理を同様に行なう。
【００４７】
これに対してステップＳＰ７で肯定結果が得られると、このことは新たに装填されたのがステップＳＰ２でイジェクトしたディスクＤｉ１であって、再度装填されたことを表しており、このときマイコン７は次のステップＳＰ８へ移る。
【００４８】
ステップＳＰ８においてマイコン７は、１度イジェクトしたディスクＤｉ１が再度装填されたので、ＲＡＭ８に記憶しておいたＸ地点に相当する絶対アドレス（この場合「５００」番地）に基づいてＭＰＥＧ４動画ファイルＢの再生処理を再開し、次のステップＳＰ９へ移って処理を終了する。
【００４９】
これによりカーＤＶＤプレーヤ１のマイコン７は、ＭＰＥＧ４動画ファイルＢを再生中にディスクＤｉ１がイジェクトされ、当該ディスクＤｉ１が再度装填された場合、ＲＡＭ８に記憶しておいたＸ地点に相当する絶対アドレスを再生ポイントとして再生処理を直ちに再開することができるので、重複部分の無い状態で続きの再生映像だけをユーザへ提供し得るようになされている。
【００５０】
［１−５．動作及び効果］
以上の構成において、カーＤＶＤプレーヤ１のマイコン７は、レーザピックアップ３で再生中のディスクＤｉ１をイジェクトしたとき、再生対象のコンテンツがディスクＤｉ１に含まれるＭＰＥＧ４動画ファイルＢである場合、以下の処理を行なう。
【００５１】
カーＤＶＤプレーヤ１のマイコン７は、イジェクト時の再生処理を停止したときのタイミングでリードインエリアＡＲ１のディスクＩＤ、ディレクトリレコードエリアＡＲ２のファイルサイズ、ディレクトリレコード、全ファイル名、全ファイルに対応した全ての絶対アドレスを読み出してＲＡＭ８に記憶して保持しておく。
【００５２】
その後カーＤＶＤプレーヤ１のマイコン７は、新たなディスクが装填された場合、それが先程イジェクトされたディスクＤｉ１と同一であるか否かを、ＲＡＭ８に記憶しておいたディスクＩＤ、ファイルサイズ、ディレクトリレコード、全ファイル名に基づいて判別する。
【００５３】
カーＤＶＤプレーヤ１のマイコン７は、新たに装填されたのが先程イジェクトしたディスクＤｉ１とは異なる他の新たなディスクＤｉ２であることを判別した場合、その新たな次のディスクＤｉ２に対する再生処理を通常通り最初から開始する。
【００５４】
またカーＤＶＤプレーヤ１のマイコン７は、新たに装填されたのが先程イジェクトしたディスクＤｉ１と同一であることを判別した場合、ＲＡＭ８に記憶しておいたＸ地点に相当する絶対アドレス（「５００」番地）を読み出し、そこから再生処理を再開する。
【００５５】
これによりカーＤＶＤプレーヤ１のマイコン７は、イジェクトするまで視聴していたＭＰＥＧ４動画ファイルＢの再生結果を、その続きから重複することなくユーザに提供することができる。
【００５６】
かくしてカーＤＶＤプレーヤ１では、「タイトル」及び「チャプター」という概念がなく、また再生時間の情報も書き込まれていない、ただ１つのファイルでなるＭＰＥＧ４動画ファイルＢに対して、そのディスクＤｉ１がイジェクトされた後に再度装填されたときでも、ユーザに対して早送り操作を強いることなく、イジェクト時の停止箇所から直ちに再生処理を再開することができる。
【００５７】
以上の構成によれば、カーＤＶＤプレーヤ１は、ディスクＤｉ１に含まれるＭＰＥＧ４動画ファイルＢの再生途中で当該ディスクＤｉ１がイジェクトされ、その後、ディスクＤｉ１が再度装填されたときでも、１つのファイルでなるＭＰＥＧ４動画ファイルＢの停止箇所から再生処理を直ちに再開することができる。
【００５８】
＜２．第２の実施の形態＞
［２−１．カーＤＶＤプレーヤの構成］
第２の実施におけるカーＤＶＤプレーヤにおいては、図１で示した第１の実施の形態におけるカーＤＶＤプレーヤ１と同一の構成を有するため、ここでは便宜上その説明を省略する。
【００５９】
［２−２．ディレクトリ構成］
また、再生対象として用いられるディスクＤｉ１のディレクトリ構成についても、図２で示した通りであり、ここでは説明を省略する。
【００６０】
［２−３．データ構造］
次に、ディスクＤｉ１に格納されているデータのデータ構造については、図３との対応部分に同一符号を付した図６に示すように同一であるため、便宜上その説明を省略する。
【００６１】
なお、第２の実施の形態におけるカーＤＶＤプレーヤ１では、ディスクＤｉ１の例えばＹ地点に相当する絶対アドレス「４９５」番地に基づくものの、厳密に絶対アドレス「４９５」番地ではなく、以下の仮再生アドレスからＭＰＥＧ４動画ファイルＢの再生処理を再開するようになされている。
【００６２】
すなわちカーＤＶＤプレーヤ１では、ＭＰＥＧ４動画ファイルＢに対する絶対アドレス「３０１」番地〜「７００」番地までの範囲に対して、予め均等間隔に等分した複数の仮再生アドレス（絶対アドレス「３５０」番地、「４００」番地、「４５０」番地、「５００」番地、「５５０」番地、「６００」番地及び「６５０」番地）を設定する。
【００６３】
そしてカーＤＶＤプレーヤ１は、Ｙ地点に相当する絶対アドレス「４９５」番地よりも過去に遡り、かつ当該Ｙ地点に相当する絶対アドレス「４９５」番地に最も近い仮再生アドレス（この場合、絶対アドレス「４５０」番地）の再生ポイントからＭＰＥＧ４動画ファイルＢに対する再生処理を再開するようになされている。
【００６４】
これによりカーＤＶＤプレーヤ１では、ＭＰＥＧ４動画ファイルＢの再生処理を停止したときの厳密な停止箇所から再生処理を再開するよりも、少しの時間分だけ遡った所定の仮再生アドレスの再生ポイントから再生処理を再開することができるので、ユーザに対して再生停止直前の内容を思い出させたうえで、続きの内容を視聴させ得るようになされている。
【００６５】
［２−４．仮再生アドレスからのレジューム再生処理手順］
次に、カーＤＶＤプレーヤ１のマイコン７がディスクＤｉ１の再生停止地点に基づいた仮再生アドレスから再生処理を再開するレジューム再生処理手順について、図７のフローチャートを用いて説明する。
【００６６】
カーＤＶＤプレーヤ１のマイコン７は、ルーチンＲＴ２の開始ステップから入って次のステップＳＰ１１へ移り、ディスクＤｉ１の再生処理を開始し、次のステップＳＰ１２へ移る。
【００６７】
ステップＳＰ１２においてマイコン７は、操作キー１０を介したユーザのイジェクト命令に応じてディスクＤｉ１に対する再生処理を停止した後、当該ディスクＤｉ１を本体部２からイジェクトしたか否かを判定する。
【００６８】
ここで否定結果が得られると、このことはイジェクト命令が与えられておらず、ディスクＤｉ１を本体部２からイジェクトしていないことを表しており、このときマイコン７はステップＳＰ１１へ戻ってディスクＤｉ１に対する再生処理を継続する。
【００６９】
これに対してステップＳＰ１２で肯定結果が得られると、このことはユーザからのイジェクト命令に応じてディスクＤｉ１を本体部２からイジェクトしたことを表しており、このときマイコン７は次のステップＳＰ１３へ移る。
【００７０】
ステップＳＰ１３においてマイコン７は、ディスクＤｉ１をイジェクトしたときまで再生していたのはＭＰＥＧ４動画ファイルＢであるか否かを、図５に示したようなファイルの拡張子を参照することにより検証する。
【００７１】
このステップＳＰ１３で否定結果が得られると、このことはイジェクトしたときまで再生していたのが音楽ファイルＡ又は音楽ファイルＣであって、ＭＰＥＧ４動画ファイルＢではないことを表しており、このときマイコン７はステップＳＰ１９へ移って処理を終了する。
【００７２】
因みに、ディスクＤｉ１をイジェクトしたときまで再生していたのが音楽ファイルＡや音楽ファイルＣのときは、再生停止地点から再生処理を再開することはない。
【００７３】
これは、音楽ファイルＡや音楽ファイルＣは通常１曲分の５分間程度に相当するものであり、再生停止地点から再生処理を再開せずに最初から再生処理しても重複再生部分が短くて済むからである。また、音楽ファイルＡ及びＣでは、再生停止地点から再生処理を再開するよりも、むしろ最初から再生処理を実行した方が、ユーザにとって便宜であるからである。
【００７４】
しかしながら、ＭＰＥＧ４動画ファイルＢにおいては例えば２時間程度の映画に相当し、再生停止地点が例えば１時間５０分経過時点であるときは、最初から再生処理を行う場合には重複再生部分が非常に長くなって、ユーザに対して早送り操作を強いることになる。
【００７５】
これに対してステップＳＰ１３で肯定結果が得られると、このことはイジェクトしたときまで再生していたのがＭＰＥＧ４動画ファイルＢであって、再生停止地点から再生処理を再開する必要があることを表しており、このときマイコン７は次のステップＳＰ１４へ移る。
【００７６】
ステップＳＰ１４においてマイコン７は、イジェクト時に再生処理を停止したときのタイミングでリードインエリアＡＲ１のディスクＩＤ、ディレクトリレコードエリアＡＲ２のファイルサイズ、ディレクトリレコード、全ファイル名、全ファイルに対応した全ての絶対アドレスを読み出してＲＡＭ８に記憶し、次のステップＳＰ１５へ移る。
【００７７】
ステップＳＰ１５においてマイコン７は、本体部２に対して何らかのディスクが新たに装填されたか否かを判定し、否定結果が得られると、ステップＳＰ１５に戻って、何らかのディスクが新たに装填されるまで待ち受け、肯定結果が得られると、次のステップＳＰ１６へ移る。
【００７８】
ステップＳＰ１６においてマイコン７は、ステップＳＰ１４でＲＡＭ８に記憶しておいたディスクＩＤ、ファイルサイズ、ディレクトリレコード及び全ファイル名に基づいて、新たに装填されたディスクを照合し、次のステップＳＰ１７へ移る。
【００７９】
このときマイコン７は、ＲＡＭ８に記憶しておいたディスクＩＤ、ディレクトリレコードエリアＡＲ２のファイルサイズ、ディレクトリレコード及び全ファイル名が、ステップＳＰ２でイジェクトしたディスクＤｉ１のそれと一致するか否かを照合することになる。
【００８０】
ステップＳＰ１７においてマイコン７は、その結果として、新たに装填されたディスクが、ステップＳＰ１２でイジェクトしたディスクＤｉ１と同一であるか否かを判別する。
【００８１】
ここで否定結果が得られると、このことは新たに装填されたのがディスクＤｉ２（図１）であって、イジェクトしたディスクＤｉ１とは異なることを表しており、このときマイコン７はステップＳＰ１１へ戻って当該ディスクＤｉ２に対する再生処理を開始し、以降の処理を同様に行なう。
【００８２】
これに対してステップＳＰ１７で肯定結果が得られると、このことは新たに装填されたのがステップＳＰ１２でイジェクトしたディスクＤｉ１であって、再度装填されたことを表しており、このときマイコン７は次のステップＳＰ１８へ移る。
【００８３】
ステップＳＰ１８においてマイコン７は、１度イジェクトしたディスクＤｉ１が再度装填されたので、ＲＡＭ８に記憶しておいたＹ地点に相当する絶対アドレス（この場合「４９５」番地）よりも過去に遡り、かつＹ地点に相当する絶対アドレスに最も近い仮再生アドレス（絶対アドレス「４５０」番地）の再生ポイントからＭＰＥＧ４動画ファイルＢに対する再生処理を再開し、次のステップＳＰ１９へ移って処理を終了する。
【００８４】
これによりカーＤＶＤプレーヤ１のマイコン７は、ＭＰＥＧ４動画ファイルＢを再生中にディスクＤｉ１がイジェクトされ、当該ディスクＤｉ１が再度装填された場合、ＲＡＭ８に記憶しておいたＹ地点に相当する絶対アドレスから過去に遡った最も近い仮再生アドレスに基づいて再生処理を直ちに再開することができるので、僅かに重複部分を含んだ再生映像をユーザに対して提供し得るようになされている。
【００８５】
［２−５．動作及び効果］
以上の構成において、カーＤＶＤプレーヤ１のマイコン７は、レーザピックアップ３で再生中のディスクＤｉ１をイジェクトしたとき、再生対象のコンテンツがディスクＤｉ１に含まれるＭＰＥＧ４動画ファイルＢである場合、以下の処理を行なう。
【００８６】
カーＤＶＤプレーヤ１のマイコン７は、イジェクト時の再生処理を停止したときのタイミングでリードインエリアＡＲ１のディスクＩＤ、ディレクトリレコードエリアＡＲ２のファイルサイズ、ディレクトリレコード、全ファイル名、全ファイルに対応した全ての絶対アドレスを読み出してＲＡＭ８に記憶して保持しておく。
【００８７】
その後カーＤＶＤプレーヤ１のマイコン７は、新たなディスクが装填された場合、それが先程イジェクトされたディスクＤｉ１と同一であるか否かを、ＲＡＭ８に記憶しておいたディスクＩＤ、ファイルサイズ、ディレクトリレコード、全ファイル名に基づいて判別する。
【００８８】
カーＤＶＤプレーヤ１のマイコン７は、新たに装填されたのが先程イジェクトしたディスクＤｉ１とは異なる他の新たなディスクＤｉ２であることを判別した場合、その新たな次のディスクＤｉ２に対する再生処理を通常通り最初から開始する。
【００８９】
またカーＤＶＤプレーヤ１のマイコン７は、新たに装填されたのが先程イジェクトしたディスクＤｉ１と同一であることを判別した場合、以下の処理を行なう。
【００９０】
カーＤＶＤプレーヤ１のマイコン７は、ＲＡＭ８に記憶しておいたＹ地点に相当する絶対アドレスを読み出し、そこから過去に遡り、かつＹ地点に相当する絶対アドレスから最も近い仮再生アドレス（絶対アドレス「４５０」番地）の再生ポイントからＭＰＥＧ４動画ファイルＢに対する再生処理を再開する。
【００９１】
これによりカーＤＶＤプレーヤ１のマイコン７は、イジェクトするまで視聴していたＭＰＥＧ４動画ファイルＢに対し、再生停止時点よりも僅かに遡った仮再生アドレスから重複部分を含んだ状態で再生映像をユーザに視聴させることができる。
【００９２】
かくしてカーＤＶＤプレーヤ１のマイコン７は、再生停止時点よりも過去に遡った仮再生アドレスから僅かに重複部分を含んだ状態で再生映像をユーザに提供させることにより、内容的に唐突感を持たせることなくイジェクトする前に視聴していた内容を思い出させながら、続きの再生映像を視聴させることができる。
【００９３】
かくしてカーＤＶＤプレーヤ１では、「タイトル」及び「チャプター」という概念がなく、また再生時間の情報も書き込まれていない、ただ１つのファイルでなるＭＰＥＧ４動画ファイルＢに対して、そのディスクＤｉ１がイジェクトされた後に再度装填されたときでも、ユーザに対して早送り操作を強いることなく、内容的にユーザの記憶の連続性を保たせたまま直ちに続きの再生結果を視聴させることができる。
【００９４】
なおカーＤＶＤプレーヤ１のマイコン７は、ＲＡＭ８に記憶しておいたＹ地点に相当する絶対アドレスから過去に遡り、当該Ｙ地点の絶対アドレスから最も近い仮再生アドレスの再生ポイントを用いることにより、内容的にユーザの記憶の連続性を保たせつつ重複部分を最小限に留めることができる。
【００９５】
さらにカーＤＶＤプレーヤ１では、ＭＰＥＧ４動画ファイルＢに対する絶対アドレス「３０１」番地〜「７００」番地までの範囲に対して、予め均等間隔に等分した複数の仮再生アドレスを設定し、これらの何れかを再生処理を再開するときの再生ポイントとして用いるようにしたことにより、マイコン７に対する処理負荷と軽減し得ると共に、再生処理を再開するまでの即時性を持たせることができる。
【００９６】
以上の構成によれば、カーＤＶＤプレーヤ１は、ディスクＤｉ１に含まれるＭＰＥＧ４動画ファイルＢの再生途中でイジェクトされ、その後、ディスクＤｉ１が再度装填されたときでも、１つのファイルでなるＭＰＥＧ４動画ファイルＢの停止箇所の近傍から再生処理を直ちに再開することができる。
【００９７】
＜３．第３の実施の形態＞
［３−１．カーＤＶＤプレーヤの構成］
第３の実施の形態におけるカーＤＶＤプレーヤにおいては、図１で示した第１の実施の形態におけるカーＤＶＤプレーヤ１と同一の構成を有するため、ここでは便宜上その説明を省略する。
【００９８】
［３−２．ディレクトリ構成］
また、再生対象として用いられるディスクＤｉ１のディレクトリ構成についても、図２で示した通りであり、ここでは説明を省略する。
【００９９】
［３−３．データ構造］
次に、ディスクＤｉ１に格納されているデータのデータ構造については、図３との対応部分に同一符号を付した図８に示すように同一であるため、便宜上その説明を省略する。
【０１００】
なお、第３の実施の形態におけるカーＤＶＤプレーヤ１では、ディスクＤｉ１の例えばＸ地点に相当する絶対アドレス「５００」番地そのものから厳密に再生処理を再開するのではなく、以下のようなＸ地点よりも所定時間ａ（例えば２０[sec]）だけ遡った時点Ｘ−ａに相当する絶対アドレスから再生処理を再開するようになされている。
【０１０１】
これによりカーＤＶＤプレーヤ１では、ＭＰＥＧ４動画ファイルＢの再生処理を停止したときの厳密な停止箇所から再生処理を再開するよりも、所定時間ａだけ遡った所定の時点Ｘ−ａから再生処理を再開することができるので、ユーザに対して再生停止直前の内容を思い出させたうえで、続きの内容を視聴させ得るようになされている。
【０１０２】
［３−４．所定時間だけ遡った時点からのレジューム再生処理手順］
次に、カーＤＶＤプレーヤ１のマイコン７がディスクＤｉ１の再生停止地点よりも所定時間ａだけ遡った時点Ｘ−ａから再生処理を再開するレジューム再生処理手順について、図９のフローチャートを用いて説明する。
【０１０３】
カーＤＶＤプレーヤ１のマイコン７は、ルーチンＲＴ３の開始ステップから入って次のステップＳＰ２１へ移り、ディスクＤｉ１の再生処理を開始し、次のステップＳＰ２２へ移る。
【０１０４】
ステップＳＰ２２においてマイコン７は、操作キー１０を介したユーザのイジェクト命令に応じてディスクＤｉ１に対する再生処理を停止した後、当該ディスクＤｉ１を本体部２からイジェクトしたか否かを判定する。
【０１０５】
ここで否定結果が得られると、このことはイジェクト命令が与えられておらず、ディスクＤｉ１を本体部２からイジェクトしていないことを表しており、このときマイコン７はステップＳＰ２１へ戻ってディスクＤｉ１に対する再生処理を継続する。
【０１０６】
これに対してステップＳＰ２２で肯定結果が得られると、このことはユーザからのイジェクト命令に応じてディスクＤｉ１を本体部２からイジェクトしたことを表しており、このときマイコン７は次のステップＳＰ２３へ移る。
【０１０７】
ステップＳＰ２３においてマイコン７は、ディスクＤｉ１をイジェクトしたときまで再生していたのはＭＰＥＧ４動画ファイルＢであるか否かを、図５に示したようなファイルの拡張子を参照することにより検証する。
【０１０８】
このステップＳＰ２３で否定結果が得られると、このことはイジェクトしたときまで再生していたのが音楽ファイルＡ又は音楽ファイルＣであって、ＭＰＥＧ４動画ファイルＢではないことを表しており、このときマイコン７はステップＳＰ２９へ移って処理を終了する。
【０１０９】
因みに、ディスクＤｉ１をイジェクトしたときまで再生していたのが音楽ファイルＡや音楽ファイルＣのときは、再生停止地点から再生処理を再開することはない。
【０１１０】
これは、音楽ファイルＡや音楽ファイルＣは通常１曲分の５分間程度に相当するものであり、再生停止地点から再生処理を再開せずに最初から再生処理しても重複再生部分が短くて済むからである。また、音楽ファイルＡ及びＣでは、再生停止地点から再生処理を再開するよりも、むしろ最初から再生処理を実行した方が、ユーザにとって便宜であるからである。
【０１１１】
しかしながら、ＭＰＥＧ４動画ファイルＢにおいては例えば２時間程度の映画に相当し、再生停止地点が例えば１時間５０分経過時点であるときは、最初から再生処理を行う場合には重複再生部分が非常に長くなって、ユーザに対して早送り操作を強いることになる。
【０１１２】
これに対してステップＳＰ２３で肯定結果が得られると、このことはイジェクトしたときまで再生していたのがＭＰＥＧ４動画ファイルＢであって、再生停止地点から再生処理を再開する必要があることを表しており、このときマイコン７は次のステップＳＰ２４へ移る。
【０１１３】
ステップＳＰ２４においてマイコン７は、イジェクト時に再生処理を停止したときのタイミングでリードインエリアＡＲ１のディスクＩＤ、ディレクトリレコードエリアＡＲ２のファイルサイズ、ディレクトリレコード、全ファイル名、全ファイルに対応した全ての絶対アドレスを読み出してＲＡＭ８に記憶し、次のステップＳＰ２５へ移る。
【０１１４】
ステップＳＰ２５においてマイコン７は、本体部２に対して何らかのディスクが新たに装填されたか否かを判定し、否定結果が得られると、ステップＳＰ２５に戻って、何らかのディスクが新たに装填されるまで待ち受け、肯定結果が得られると、次のステップＳＰ２６へ移る。
【０１１５】
ステップＳＰ２６においてマイコン７は、ステップＳＰ４でＲＡＭ８に記憶しておいたディスクＩＤ、ファイルサイズ、ディレクトリレコード及び全ファイル名に基づいて、新たに装填されたディスクを照合し、次のステップＳＰ２７へ移る。
【０１１６】
このときマイコン７は、ＲＡＭ８に記憶しておいたディスクＩＤ、ディレクトリレコードエリアＡＲ２のファイルサイズ、ディレクトリレコード及び全ファイル名が、ステップＳＰ２でイジェクトしたディスクＤｉ１のそれと一致するか否かを照合することになる。
【０１１７】
ステップＳＰ２７においてマイコン７は、その結果として、新たに装填されたディスクが、ステップＳＰ２２でイジェクトしたディスクＤｉ１と同一であるか否かを判別する。
【０１１８】
ここで否定結果が得られると、このことは新たに装填されたのがディスクＤｉ２（図１）であって、イジェクトしたディスクＤｉ１とは異なることを表しており、このときマイコン７はステップＳＰ２１へ戻って当該ディスクＤｉ２に対する再生処理を開始し、以降の処理を同様に行なう。
【０１１９】
これに対してステップＳＰ２７で肯定結果が得られると、このことは新たに装填されたのがステップＳＰ２２でイジェクトしたディスクＤｉ１であって、再度装填されたことを表しており、このときマイコン７は次のステップＳＰ２８へ移る。
【０１２０】
ステップＳＰ２８においてマイコン７は、１度イジェクトしたディスクＤｉ１が再度装填されたので、ＲＡＭ８に記憶しておいたＸ地点に相当する絶対アドレス（この場合「５００」番地）よりも所定時間ａだけ遡った時点Ｘ−ａに相当する絶対アドレスからＭＰＥＧ４動画ファイルＢに対する再生処理を再開し、次のステップＳＰ２９へ移って処理を終了する。
【０１２１】
これによりカーＤＶＤプレーヤ１のマイコン７は、ＭＰＥＧ４動画ファイルＢを再生中にディスクＤｉ１がイジェクトされ、当該ディスクＤｉ１が再度装填された場合、ＲＡＭ８に記憶しておいたＸ地点から所定時間ａだけ遡った時点Ｘ−ａに相当する絶対アドレスに基づいて再生処理を直ちに再開することができるので、僅かな重複部分を最初に含んだ再生映像をユーザに対して提供し得るようになされている。
【０１２２】
［３−５．動作及び効果］
以上の構成において、カーＤＶＤプレーヤ１のマイコン７は、レーザピックアップ３で再生中のディスクＤｉ１をイジェクトしたとき、再生対象のコンテンツがディスクＤｉ１に含まれるＭＰＥＧ４動画ファイルＢである場合、以下の処理を行なう。
【０１２３】
カーＤＶＤプレーヤ１のマイコン７は、イジェクト時の再生処理を停止したときのタイミングでリードインエリアＡＲ１のディスクＩＤ、ディレクトリレコードエリアＡＲ２のファイルサイズ、ディレクトリレコード、全ファイル名、全ファイルに対応した全ての絶対アドレスを読み出してＲＡＭ８に記憶して保持しておく。
【０１２４】
その後カーＤＶＤプレーヤ１のマイコン７は、新たなディスクが装填された場合、それが先程イジェクトされたディスクＤｉ１と同一であるか否かを、ＲＡＭ８に記憶しておいたディスクＩＤ、ファイルサイズ、ディレクトリレコード、全ファイル名に基づいて判別する。
【０１２５】
カーＤＶＤプレーヤ１のマイコン７は、新たに装填されたのが先程イジェクトしたディスクＤｉ１とは異なる他の新たなディスクＤｉ２であることを判別した場合、その新たな次のディスクＤｉ２に対する再生処理を通常通り最初から開始する。
【０１２６】
またカーＤＶＤプレーヤ１のマイコン７は、新たに装填されたのが先程イジェクトしたディスクＤｉ１と同一であることを判別した場合、以下の処理を行なう。
【０１２７】
カーＤＶＤプレーヤ１のマイコン７は、ＲＡＭ８に記憶しておいたＸ地点に相当する絶対アドレスを読み出し、そこから所定時間ａだけ遡った時点Ｘ−ａに相当する絶対アドレスを再生ポイントとしてＭＰＥＧ４動画ファイルＢに対する再生処理を再開する。
【０１２８】
これによりカーＤＶＤプレーヤ１のマイコン７は、イジェクトするまで視聴していたＭＰＥＧ４動画ファイルＢに対し、再生停止時点よりも僅かに遡った時点Ｘ−ａに相当する絶対アドレスから重複部分を含んだ状態で再生映像をユーザに視聴させることができる。
【０１２９】
かくしてカーＤＶＤプレーヤ１のマイコン７は、再生停止時点よりも過去に遡った時点Ｘ−ａに相当する絶対アドレスから僅かに重複部分を含んだ状態で再生映像をユーザに視聴させることにより、唐突感を持たせることなくイジェクトする前に視聴していた内容を思い出させながら、続きの再生映像を提供することができる。
【０１３０】
かくしてカーＤＶＤプレーヤ１では、「タイトル」及び「チャプター」という概念がなく、また再生時間の情報も書き込まれていない、ただ１つのファイルでなるＭＰＥＧ動画ファイルＢに対して、そのディスクＤｉ１がイジェクトされた後に再度装填されたときでも、ユーザに対して早送り操作を強いることなく、内容的にユーザの記憶の連続性を保たせたまま直ちに続きの再生結果を視聴させることができる。
【０１３１】
なおカーＤＶＤプレーヤ１のマイコン７は、ＲＡＭ８に記憶しておいたＸ地点に相当する絶対アドレスから所定時間ａだけ過去に遡った時点Ｘ−ａに相当する絶対アドレスを再生ポイントとして用いることにより、内容的にユーザの記憶としての連続性を保たせながら重複部分を最小限に留めることができる。
【０１３２】
以上の構成によれば、カーＤＶＤプレーヤ１は、ディスクＤｉ１に含まれるＭＰＥＧ４動画ファイルＢの再生途中でイジェクトされ、その後、ディスクＤｉ１が再度装填されたときでも、１つのファイルでなるＭＰＥＧ４動画ファイルＢの停止箇所の近傍から再生処理を直ちに再開することができる。
【０１３３】
＜４．他の実施の形態＞
なお上述した第１の実施の形態乃至第３の実施の形態においては、動画コンテンツとしてＭＰＥＧ４動画ファイルが格納されたＤＶＤのディスクＤｉ１を再生対象とするようにした場合について述べた。
【０１３４】
しかしながら本発明はこれに限らず、ＭＰＥＧ４動画ファイルが格納されたブルーレイディスク、ＵＳＢメモリ、又は着脱自在なハードディスク等の着脱自在な他の種々の記録媒体を再生対象とするようにしても良い。
【０１３５】
また上述した第１の実施の形態乃至第３の実施の形態においては、動画コンテンツとしてのＭＰＥＧ４動画ファイルＢと、その他のコンテンツとしての音楽ファイルＡ、Ｃとが混在した状態でディスクＤｉ１に格納されているようにした場合について述べた。
【０１３６】
しかしながら、本発明はこれに限らず、ＭＰＥＧ４動画ファイルＢと混在した状態でディスクＤｉ１に格納されている他のコンテンツとしては、再生可能な音声ファイルであっても良い。
【０１３７】
さらに上述した第２の実施の形態においては、ＭＰＥＧ４動画ファイルＢに対する絶対アドレス「３０１」番地〜「７００」番地までの範囲に対して、予め「５０」番地づつ均等に等分した複数の仮再生アドレスを設定するようにした場合について述べた。
【０１３８】
しかしながら本発明はこれに限らず、ＭＰＥＧ４動画ファイルＢに対する絶対アドレス「３０１」番地〜「７００」番地までの範囲に対して、予め「１０」番地、「２５」番地又は「１００」番地ずつ均等に等分した複数の仮再生アドレスを設定するようにしても良い。
【０１３９】
さらに上述した第３の実施の形態においては、Ｘ地点よりも所定時間ａ（例えば２０[sec]）だけ遡った時点Ｘ−ａに相当する絶対アドレスを用いるようにした場合について述べた。
【０１４０】
しかしながら、本発明はこれに限らず、Ｘ地点よりも所定時間ａ（例えば１０[sec]、３０[sec]又は５０[sec]等）だけ遡った時点Ｘ−ａに相当する絶対アドレスを用いるようにしても良い。
【０１４１】
さらに上述の実施の形態においては、Ｘ地点よりも所定時間ａだけ遡った時点Ｘ−ａに相当する絶対アドレスからＭＰＥＧ４動画ファイルＢの再生処理を再開するようにした場合について述べた。
【０１４２】
しかしながら本発明はこれに限らず、Ｘ地点よりも所定時間ａだけ遡った時点Ｘ−ａに相当する絶対アドレスからＭＰＥＧ４動画ファイルＢの再生処理をバッファ上で再開し、その再生結果の音声レベルが所定の閾値を超えた時点から当該再生結果を出力するようにしても良い。
【０１４３】
この場合、マイコン７は音声レベルが所定の閾値を超えた部分、すなわちＭＰＥＧ４動画ファイルＢの内容が盛り上がっているシーンから再生映像を出力することができ、ユーザの記憶を呼び戻し易く、スムースに続きの再生映像を視聴させることができる。
【０１４４】
さらに上述した第１の実施の形態乃至第３の実施の形態においては、カーＤＶＤプレーヤ１のマイコン７が、予めインストールされたアプリケーションプログラムに従って上述したルーチンＲＴ１乃至ＲＴ３のレジューム再生処理手順を実行するようにした場合について述べた。
【０１４５】
しかしながら、本発明はこれに限らず、所定の記録媒体からインストールしたアプリケーションプログラムや、インターネットからダウンロードしたアプリケーションプログラム、その他種々のルートによってインストールしたアプリケーションプログラムに従って上述したルーチンＲＴ１乃至ＲＴ３のレジューム再生処理手順を実行するようにしても良い。
【０１４６】
さらに上述の実施の形態においては、一つのファイルでなる動画コンテンツとしてＭＰＥＧ４動画ファイルＢを用いるようにした場合について述べたが、本発明はこれに限らず、一つのファイルでなり、所定の方式で高圧縮符号化された形式の動画ファイルを用いるようにしても良い。
【０１４７】
さらに上述の実施の形態においては、再生手段としてのレーザピックアップ３、ＭＰＥＧデコーダ４、記憶制御手段、検証手段及び制御手段としてのマイコン７によって本発明の再生装置としてのカーＤＶＤプレーヤ１を構成するようにした場合について述べた。
【０１４８】
しかしながら、本発明はこれに限らず、他の種々の構成でなる再生手段、記憶制御手段、検証手段及び制御手段によって本発明の再生装置としてのカーＤＶＤプレーヤ１を構成するようにしても良い。
【産業上の利用可能性】
【０１４９】
本発明の再生装置及び再生方法は、例えばカーＤＶＤプレーヤに限らず、ＤＶＤやブルーレイディスク等の着脱自在な記録媒体を再生可能なホームオーディオ機器、パーソナルコンピュータ、携帯電話機、ゲーム機等のその他種々の電子機器に適用することができる。
【図面の簡単な説明】
【０１５０】
【図１】第１の実施の形態乃至第３の実施の形態におけるカーＤＶＤプレーヤの構成を示す略線的ブロック図である。
【図２】第１の実施の形態乃至第３の実施の形態におけるディレクトリ構成の説明に供する略線図である。
【図３】第１の実施の形態における再生ポイント（１）の説明に供する略線図である。
【図４】第１の実施の形態における基本のレジューム再生処理手順を示すフローチャートである。
【図５】第１の実施の形態乃至第３の実施の形態におけるファイルと拡張子との組合せを示す図表である。
【図６】第２の実施の形態における再生ポイント（２）の説明に供する略線図である。
【図７】第２の実施の形態における仮再生アドレスからのレジューム再生処理手順を示すフローチャートである。
【図８】第３の実施の形態における再生ポイント（３）の説明に供する略線図である。
【図９】第３の実施の形態における所定時間だけ遡った時点からのレジューム再生処理手順を示すフローチャートである。
【符号の説明】
【０１５１】
１……カーＤＶＤプレーヤ、２……本体部、３……レーザピックアップ、４……ＭＰＥＧデコーダ、５……電子ボリューム、６……パワーアンプ、７……システムコントロールマイコン、８……ＲＡＭ、９……表示パネル、１０……操作キー、１１……ＬＣＤ、１２……スピーカ、Ｔ１、Ｔ２……出力端子、Ｄｉ１、Ｄｉ２……ディスク。
【図１】
2010108553.tif 000003
【図２】
2010108553.tif 000004
【図３】
2010108553.tif 000005
【図４】
2010108553.tif 000006
【図５】
2010108553.tif 000007
【図６】
2010108553.tif 000008
【図７】
2010108553.tif 000009
【図８】
2010108553.tif 000010
【図９】
2010108553.tif 000011